(57)【要約】【課題】無線通信媒体の機能を外力により切替え可能とする。【解決手段】ＩＣカード２０は、アンテナ４１，４２を介して供給される電力により作動しアンテナ４１，４２を介して記憶情報の無線送信処理を行う２つのＩＣチップ３１，３２と、外力が加えられることにより配置が変化し、その配置に応じて２つのＩＣチップ３１，３２のうちの１つによる記憶情報の送信処理を禁止するスライドスイッチ２１とを備えている。このため、使用者は、ＩＣカード２０のスライドスイッチ２１に外力を加えて配置を変化させることにより、２つのＩＣチップ３１，３２のうちの１つによる送信処理を禁止させて、無線読取装置１０へ送信される記憶情報の内容を変化させることができる。【選択図】図２
2007257147.tif 000002
【特許請求の範囲】
【請求項１】
アンテナを介して供給される電力により作動し前記アンテナを介して記憶情報の無線送信処理を行う複数のＩＣチップと、
外力が加えられることにより配置状態が変化し、その配置状態に応じて前記複数のＩＣチップのうちの１又は複数のＩＣチップによる前記送信処理を禁止する操作部と、
を備えたことを特徴とする無線通信媒体。
【請求項２】
前記操作部は、外力が加えられることにより配置状態が変化し、外力が解放されると元の配置状態に戻るように構成されていること
を特徴とする請求項１に記載の無線通信媒体。
【請求項３】
前記操作部は、外力が加えられることにより配置状態が変化し、外力が解放されてもその配置状態が維持されるように構成されていること
を特徴とする請求項１に記載の無線通信媒体。
【請求項４】
前記操作部は、その配置状態に応じて前記ＩＣチップと前記アンテナとの間の電流経路を遮断することにより、そのＩＣチップによる前記送信処理を禁止すること
を特徴とする請求項１から請求項３までのいずれか１項に記載の無線通信媒体。
【請求項５】
前記アンテナは、前記複数のＩＣチップにより共用されること
を特徴とする請求項１から請求項４までのいずれか１項に記載の無線通信媒体。
【請求項６】
前記アンテナは、前記複数のＩＣチップのそれぞれに対応して複数設けられていること
を特徴とする請求項１から請求項４までのいずれか１項に記載の無線通信媒体。
【請求項７】
前記操作部の配置状態には、前記送信処理を禁止しないＩＣチップを同時に２以上存在させる状態が含まれていること
を特徴とする請求項６に記載の無線通信媒体。
【請求項８】
前記操作部の配置状態には、前記送信処理を禁止しないＩＣチップを少なくとも１つ存在させる２N−１とおりの状態（「Ｎ」はＩＣチップの総数）が含まれていること
を特徴とする請求項７に記載の無線通信媒体。
【請求項９】
前記操作部は、その配置状態に応じて前記複数のアンテナのうちの一部を導電体で覆うことにより、そのアンテナに対応するＩＣチップによる前記送信処理を禁止すること
を特徴とする請求項７又は請求項８に記載の無線通信媒体。
【請求項１０】
請求項１から請求項９までのいずれか１項に記載の無線通信媒体から前記記憶情報を受信する無線受信処理を行う受信手段と、
前記受信手段により受信された前記記憶情報に基づき、前記無線通信媒体が備える前記ＩＣチップによる前記送信処理の禁止状態を判断する判断手段と、
を備えたことを特徴とする無線読取装置。
【請求項１１】
前記判断手段は、前記禁止状態として、前記送信処理を禁止しないＩＣチップが同時に２以上存在する状態も判断すること
を特徴とする請求項１０に記載の無線読取装置。
【発明の詳細な説明】
【技術分野】
【０００１】
本発明は、非接触で供給される電力により作動して記憶情報を無線送信可能に構成された無線通信媒体及びこうした無線通信媒体との間で無線通信を行う無線読取装置に関するものである。
【背景技術】
【０００２】
従来、非接触で供給される電力により作動して記憶情報を無線送信可能に構成された無線通信媒体との間で無線通信を行う技術（ＲＦＩＤ：Ｒａｄｉｏ  Ｆｒｅｑｕｅｎｃｙ  Ｉｄｅｎｔｉｆｉｃａｔｉｏｎ）が知られている。無線通信媒体としては、ＩＣチップ及びアンテナが内蔵されたカード（いわゆるＩＣカード）やタグ（いわゆるＩＣタグ）等が一般に用いられており、例えば、定期券としてのＩＣカードを自動改札機の上にかざすだけで改札を通過できるようにしたシステムが実用化されている。
【０００３】
なお、上述した内容は公知・公用の技術であり、出願人は特に先行技術調査を行っていないため、先行技術文献の開示については行わない。
【発明の開示】
【発明が解決しようとする課題】
【０００４】
しかしながら、上述したような無線通信媒体は、一定の機能しか果たさないことから不便な場合がある。例えば、会社のゲート（出入口）に無線読取装置を設置し、社員証としてのＩＣカードを有する者のみがゲートを通過できるようにすることで不正者の侵入を防止するシステムが実用化されているが、この無線読取装置をタイムレコーダ代わりにそのまま利用しようとすると不都合が生じる。すなわち、社員がゲートを通過するのが出勤時及び退勤時だけであれば問題ないが、実際には一時的な外出等によりゲートを通過することも考えられ、無線読取装置側ではそれを区別することができない。よって、タイムカード用のＩＣカードを別途所持して使い分けるといった必要がある。
【０００５】
このような例に限らず、従来の無線通信媒体は、一定の機能しか果たさないことから不便な場合が多い。
本発明は、こうした問題にかんがみてなされたものであり、無線通信媒体の機能を外力により切替え可能とすることを目的としている。
【課題を解決するための手段】
【０００６】
上記目的を達成するためになされた本発明の請求項１に記載の無線通信媒体は、アンテナを介して供給される電力により作動しアンテナを介して記憶情報の無線送信処理を行う複数のＩＣチップと、外力が加えられることにより配置状態が変化し、その配置状態に応じて複数のＩＣチップのうちの１又は複数のＩＣチップによる送信処理を禁止する操作部とを備えたことを特徴としている。
【０００７】
なお、ここでいう配置状態の変化としては、例えば、操作部が有する操作用部材（例えば、レバー、つまみ、ボタン等）を移動（スライド移動や回転移動）させることによる位置の変化、操作用部材を回転させることによる向きの変化、操作用部材を押圧することによる形状の変化などが挙げられる。ここで、配置状態は１つの操作用部材のみの状態に限定されるものではなく、複数の操作用部材の状態であってもよい。例えば、２つの操作用部材を有する場合、一方の操作用部材の状態が同じであっても、他方の操作用部材の状態が異なっていれば、全体として異なる配置状態と考えることができる。
【０００８】
このような構成の無線通信媒体によれば、使用者は、操作部に外力を加えてその配置状態を変化させることにより、複数のＩＣチップのうちの１又は複数のＩＣチップによる送信処理を禁止させて、送信される記憶情報の内容を変化させることができる。このため、無線通信媒体から記憶情報を受信する無線読取装置は、無線通信媒体の存在を検出するだけでなく、その無線通信媒体の操作部の配置状態についても判断することが可能となる。この結果、無線通信媒体の機能（換言すれば、無線読取装置で行われる処理の内容）を外力により切り替えることが可能となる。
【０００９】
ここで、操作部は、具体的には例えば請求項２又は請求項３に記載のように構成することができる。
すなわち、請求項２に記載の無線通信媒体は、上記請求項１に記載の無線通信媒体において、操作部が、外力が加えられることにより配置状態が変化し、外力が解放されると元の配置状態に戻るように構成されていることを特徴としている。このような構成の無線通信媒体によれば、使用者は、無線通信媒体を使用する際（無線通信媒体の記憶情報を無線読取装置に読み取らせる際）に、操作部に外力を加えることによって無線通信媒体の機能を切り替えることが可能となる。
【００１０】
また、請求項３に記載の無線通信媒体は、上記請求項１に記載の無線通信媒体において、操作部が、外力が加えられることにより配置状態が変化し、外力が解放されてもその配置状態が維持されるように構成されていることを特徴としている。
【００１１】
このような構成の無線通信媒体によれば、使用者は、無線通信媒体を使用する前（無線通信媒体の記憶情報を無線読取装置に読み取らせる前）に、あらかじめ操作部の配置状態を設定しておくことで、無線通信媒体の機能を切り替えることが可能となる。このため、ＲＦＩＤを利用したシステムの最大の特徴である読み取り操作の手軽さを損なうことなく、無線通信媒体の機能を外力により切り替えることが可能となる。すなわち、ＲＦＩＤを利用したシステム、例えばＩＣカードの定期券による自動改札システムは、磁気カードの定期券による自動改札システムに比べ、カードを挿入口に挿入するといった正確な操作を行う必要がなく、また、定期入れ等に入れたままカードを使用することが可能となる等、カードを読み取らせる操作が格段に容易となる。本請求項３の無線通信媒体は、このようなカードを読み取らせる操作の手軽さを損なわせることなく、外力による機能の切替えが可能となる点で特に優れている。
【００１２】
ところで、ＩＣチップによる送信処理を禁止する具体的な構成としては、例えば請求項４に記載の構成が挙げられる。
すなわち、請求項４に記載の無線通信媒体は、上記請求項１〜３のいずれかに記載の無線通信媒体において、操作部が、その配置状態に応じてＩＣチップとアンテナとの間の電流経路を遮断することにより、そのＩＣチップによる送信処理を禁止することを特徴としている。
【００１３】
この構成によれば、従来から用いられているＩＣチップやアンテナをそのまま利用して構成しつつ、ＩＣチップによる送信処理の一時的な禁止を実現することが可能となる。
一方、無線通信媒体に設けるアンテナの数は、例えば、ＩＣチップの数と同数にしてもよく、また、ＩＣチップの数よりも少なくしてもよい。具体的には、例えば請求項５又は請求項６に記載のように構成することができる。
【００１４】
すなわち、請求項５に記載の無線通信媒体は、上記請求項１〜４のいずれかに記載の無線通信媒体において、アンテナは、複数のＩＣチップにより共用されることを特徴としている。
【００１５】
つまり、アンテナの数をＩＣチップの数よりも少なくするのである。例えば、３つのＩＣチップと１つのアンテナとを備えた構成とすることが考えられる。
このような請求項５に記載の無線通信媒体によれば、低コスト化や小型化を図ることができる。
【００１６】
また、請求項６に記載の無線通信媒体は、上記請求項１〜４のいずれかに記載の無線通信媒体において、アンテナは、複数のＩＣチップのそれぞれに対応して複数設けられていることを特徴としている。
【００１７】
つまり、アンテナの数をＩＣチップの数と同じにするのである。例えば、３つのＩＣチップと３つのアンテナとを備えた構成とすることが考えられる。
このような請求項６に記載の無線通信媒体によれば、各ＩＣチップへの電力供給等を安定的に行うことができる。
【００１８】
ここで、請求項７に記載の無線通信媒体は、上記請求項６に記載の無線通信媒体において、操作部の配置状態には、送信処理を禁止しないＩＣチップ（送信処理が可能なＩＣチップ）を同時に２以上存在させる状態が含まれていることを特徴としている。
【００１９】
このような構成によれば、送信処理が可能なＩＣチップを同時に２以上存在させない構成に比べ、送信する記憶情報のパターンを多くすることができる。すなわち、例えば３つのＩＣチップＡ，Ｂ，Ｃを備えている場合、送信処理が可能なＩＣチップを同時に２以上存在させない構成では、送信する記憶情報のパターンとしては、Ａの記憶情報のみ、Ｂの記憶情報のみ、Ｃの記憶情報のみ、の３つのパターンしか存在しない。これに対し、送信処理が可能なＩＣチップを同時に２以上存在させる状態が含まれる構成では、送信する記憶情報のパターンとしては、上記３つのパターンに加え、Ａ及びＢの記憶情報、Ａ及びＣの記憶情報、Ｂ及びＣの記憶情報、Ａ，Ｂ及びＣの記憶情報といったパターンも存在する。
【００２０】
したがって、送信する記憶情報のパターンをできる限り多くするには、請求項８に記載のように構成することが特に好ましい。
すなわち、請求項８に記載の無線通信媒体は、上記請求項７に記載の無線通信媒体において、操作部の配置状態には、送信処理を禁止しないＩＣチップ（送信処理が可能なＩＣチップ）を少なくとも１つ存在させる２N−１とおりの状態（「Ｎ」はＩＣチップの総数）が含まれていることを特徴としている。
【００２１】
このような構成によれば、送信する記憶情報のパターンをできるだけ多くすることができる。例えば、８つのＩＣチップを備えている場合、送信処理が可能なＩＣチップを同時に２以上存在させない構成では、送信する記憶情報のパターンは８つであるが、請求項８の無線通信媒体によれば、２５５とおりのパターンで記憶情報を送信することができる。
【００２２】
一方、ＩＣチップによる送信処理を禁止する構成としては、例えば請求項９に記載の構成も挙げられる。
すなわち、請求項９に記載の無線通信媒体は、上記請求項７又は８に記載の無線通信媒体において、操作部は、その配置状態に応じて複数のアンテナのうちの一部を導電体（例えば鉄や銅などの金属体）で覆うことにより、そのアンテナに対応するＩＣチップによる送信処理を禁止することを特徴としている。
【００２３】
このような構成によっても、請求項４に記載の無線通信媒体と同様、ＩＣチップによる送信処理を一時的に禁止することが可能となる。特に請求項９に記載の無線通信媒体によれば、電流経路を遮断する構成を設ける必要がないため、電気抵抗の増大を防ぐことができる。
【００２４】
次に、請求項１０に記載の無線読取装置は、請求項１から請求項９までのいずれか１項に記載の無線通信媒体から記憶情報を受信する無線受信処理を行う受信手段と、受信手段により受信された記憶情報に基づき、無線通信媒体が備えるＩＣチップによる送信処理の禁止状態を判断する判断手段とを備えたことを特徴としている。
【００２５】
なお、ここでいう禁止状態とは、どのＩＣチップ（又は、いくつ（何個）のＩＣチップ）の送信処理が禁止されているか、換言すれば、どのＩＣチップ（又は、いくつ（何個）のＩＣチップ）が送信処理可能であるかという状態である。さらに別の言い方をすれば、操作部の配置状態である。
【００２６】
このような構成の無線読取装置によれば、上記請求項１〜９のいずれかの無線通信媒体とシステムを構築することにより、無線通信媒体の機能を外力により切り替えることが可能となる。
【００２７】
また、請求項１１に記載の無線読取装置は、上記請求項１０に記載の無線読取装置において、判断手段は、禁止状態として、送信処理を禁止しないＩＣチップ（送信処理が可能なＩＣチップ）が同時に２以上存在する状態も判断することを特徴としている。
【００２８】
このような構成の無線読取装置によれば、判断可能な記憶情報のパターン（無線通信媒体の操作部の配置状態のパターン）を多くすることができる。
【発明を実施するための最良の形態】
【００２９】
以下、本発明が適用された実施形態について、図面を用いて説明する。
［第１実施形態］
図１は、第１実施形態の無線通信システムの概略構成を表すブロック図である。
【００３０】
同図に示すように、この無線通信システムは、無線読取装置１０と、無線通信媒体（本実施形態ではＩＣカード）２０とを備えている。
無線読取装置１０は、アンテナ１１と、制御部１２とを備えている。
【００３１】
制御部１２は、ＣＰＵ１３、ＲＯＭ１４、ＲＡＭ１５等からなるマイクロコンピュータを中心に構成されている。そして、制御部１２は、当該無線読取装置１０から所定の通信距離の範囲内（通信可能範囲内）に存在するＩＣカード２０との間で、アンテナ１１を介した無線通信処理を行う。なお、本実施形態の無線読取装置１０は、通信可能範囲内に複数の通信対象（具体的にはＩＣチップ）が存在していても各通信対象と通信可能な機能（アンチコリジョン機能）を有している。
【００３２】
一方、図２は、ＩＣカード２０の構成を説明するための説明図であり、（Ａ）は外観を表す模式図、（Ｂ）は内部構成を表す模式図である。
同図に示すように、ＩＣカード２０は、２つのＩＣチップ（第１ＩＣチップ３１及び第２ＩＣチップ３２）と、２つのアンテナ（第１アンテナ４１及び第２アンテナ４２）と、スライドスイッチ２１（使用者が指で矢印Ｘ１，Ｘ２方向へスライド操作可能なつまみを有するもの）とを備えている。
【００３３】
第１ＩＣチップ３１には、当該ＩＣカード２０の所有者を識別可能な情報である所有者識別情報（例えば社員番号）と、当該ＩＣチップが第１ＩＣチップ３１及び第２ＩＣチップ３２のいずれであるかを識別可能な情報であるチップ識別情報（ここでは第１ＩＣチップ３１であることを表すチップ識別情報であり、例えば「０」）が記憶されている。
【００３４】
一方、第２ＩＣチップ３２には、第１ＩＣチップ３１に記憶されている内容と同一の所有者識別情報と、チップ識別情報（ここでは第２ＩＣチップ３２であることを表すチップ識別情報であり、例えば「１」）が記憶されている。
【００３５】
そして、各ＩＣチップ３１，３２は、各アンテナ４１，４２を介して電力が供給されると、記憶している所有者識別情報及びチップ識別情報をアンテナ４１，４２を介して無線送信する処理を行う。なお、電力が供給された場合に直ちに情報を無線送信する処理を行うのではなく、無線読取装置１０から所定の信号を受信した場合に無線送信する処理を行うようにしてもよい。
【００３６】
スライドスイッチ２１（正確にはスライドスイッチ２１のつまみ。以下同様。）は、外力を加えられることにより一定範囲内でスライド移動し（矢印Ｘ１，Ｘ２に示す方向）、選択可能な３つの位置のうちのいずれか１つの位置に配置され、外力が解放されてもその位置に維持されるように構成されている。
【００３７】
そして、スライドスイッチ２１が第１の位置（矢印Ｘ１側の位置）に配置されている状態では、第１ＩＣチップ３１と第１アンテナ４１との間の電流経路が接続され、第２ＩＣチップ３２と第２アンテナ４２との間の電流経路が遮断される。つまり、第２ＩＣチップ３２が機能しなくなり（記憶情報の送信処理が禁止され）、第１ＩＣチップ３１のみが機能する状態（記憶情報の送信処理が可能な状態）となる。
【００３８】
また、スライドスイッチ２１が第２の位置（図２に示す位置）に配置されている状態では、第１ＩＣチップ３１と第１アンテナ４１との間の電流経路と、第２ＩＣチップ３２と第２アンテナ４２との間の電流経路とが、共に接続される。つまり、第１ＩＣチップ３１及び第２ＩＣチップ３２が共に機能する状態となる。
【００３９】
さらに、スライドスイッチ２１が第３の位置（矢印Ｘ２側の位置）に配置されている状態では、第１ＩＣチップ３１と第１アンテナ４１との間の電流経路が遮断され、第２ＩＣチップ３２と第２アンテナ４２との間の電流経路が接続される。つまり、第１ＩＣチップ３１が機能しなくなり（記憶情報の送信処理が禁止され）、第２ＩＣチップ３２のみが機能する状態（記憶情報の送信処理が可能な状態）となる。
【００４０】
なお、第１ＩＣチップ３１及び第２ＩＣチップ３２が共に遮断される状態となる第４の位置を選択可能に構成してもよい。
このような構成により、ＩＣカード２０が無線読取装置１０と通信可能な範囲に侵入すると、スライドスイッチ２１の配置に応じた情報がＩＣカード２０から無線読取装置１０へ送信される。
【００４１】
具体的には、スライドスイッチ２１が第１の位置に配置されている状態では、所有者識別情報と、第１ＩＣチップ３１であることを表すチップ識別情報とが、ＩＣカード２０から無線読取装置１０へ送信される。
【００４２】
また、スライドスイッチ２１が第２の位置に配置されている状態では、所有者識別情報と、第１ＩＣチップ３１であることを表すチップ識別情報と、第２ＩＣチップ３２であることを表すチップ識別情報とが、ＩＣカード２０から無線読取装置１０へ送信される。
【００４３】
さらに、スライドスイッチ２１が第３の位置に配置されている状態では、所有者識別情報と、第２ＩＣチップ３２であることを表すチップ識別情報とが、ＩＣカード２０から無線読取装置１０へ送信される。
【００４４】
このため、無線読取装置１０は、ＩＣカード２０の存在を検出するだけでなく、そのＩＣカード２０におけるスライドスイッチ２１の配置についても判断することができる。
ここで、具体例として、会社のゲートに無線読取装置１０を設置し、社員証としてのＩＣカード２０を有する者のみがゲートを通過できるようにするシステムにおいて、無線読取装置１０をタイムレコーダとしても利用する構成について説明する。
【００４５】
図３は、このような構成の無線読取装置１０のＣＰＵ１３が実行するタイムレコーダ処理のフローチャートである。
このタイムレコーダ処理が開始されると、まず、Ｓ１０１で、アンテナ１１を介して無線通信可能なＩＣカード２０が存在するか否かを判定し、存在すると判定した場合にＳ１０２へ移行する。具体的には、ＩＣカード２０の存在を検出するために定期的に送信する検出用電波に対し、ＩＣカード２０からの情報が受信された場合にＩＣカード２０が存在すると判定する。
【００４６】
Ｓ１０２では、ＩＣカード２０から受信された所有者識別情報及びチップ識別情報に基づき、次の処理を行った後、Ｓ１０１へ戻る。
すなわち、チップ識別情報として第１ＩＣチップ３１であることを表すもののみが受信された場合には、現在の時刻を、受信された所有者識別情報に対応する社員の出退勤時刻として記憶する。
【００４７】
また、チップ識別情報として第１ＩＣチップ３１であることを表すものと第２ＩＣチップ３２であることを表すものとが共に受信された場合には、現在の時刻を、受信された所有者識別情報に対応する社員の一時的な社用外出時刻として記憶する。
【００４８】
さらに、チップ識別情報として第２ＩＣチップ３２であることを表すもののみが受信された場合には、現在の時刻を、受信された所有者識別情報に対応する社員の一時的な私用外出時刻として記憶する。
【００４９】
つまり、ＩＣカード２０のスライドスイッチ２１を第１の位置に配置した状態では、ＩＣカード２０を検出した時刻が出退勤時刻として記憶され、スライドスイッチ２１を第２の位置に配置した状態では、ＩＣカード２０を検出した時刻が社用外出時刻として記憶され、スライドスイッチ２１を第３の位置に配置した状態では、ＩＣカード２０を検出した時刻が私用外出時刻として記憶される。
【００５０】
したがって、複数のＩＣカード２０を用いることなく、１枚のＩＣカード２０の機能を外力により切り替えることが可能となる。
以上説明したように、第１実施形態の無線通信システムに用いられるＩＣカード２０は、アンテナ４１，４２を介して供給される電力により作動しアンテナ４１，４２を介して記憶情報の無線送信処理を行う２つのＩＣチップ３１，３２と、外力が加えられることにより配置が変化し、その配置に応じて２つのＩＣチップ３１，３２のうちの１つによる記憶情報の送信処理を禁止するスライドスイッチ２１とを備えている。一方、無線読取装置１０は、ＩＣカード２０から受信した記憶情報に基づき、ＩＣカード２０が備えるどのＩＣチップ３１，３２が機能しているかを判断する。このような構成の無線通信システムによれば、使用者は、ＩＣカード２０のスライドスイッチ２１に外力を加えて配置を変化させることにより、２つのＩＣチップ３１，３２のうちの１つによる送信処理を禁止させて、無線読取装置１０へ送信される記憶情報の内容を変化させることができる。このため、無線読取装置１０は、ＩＣカード２０の存在を検出するだけでなく、そのＩＣカード２０におけるスライドスイッチ２１の配置についても判断することができる。この結果、ＩＣカード２０の機能を外力により切り替えることが可能となる。
【００５１】
また、このＩＣカード２０は、スライドスイッチ２１が、外力が加えられることにより配置が変化し、外力が解放されてもその配置が維持されるように構成されている。このような構成のＩＣカード２０によれば、使用者は、ＩＣカード２０を使用する前（ＩＣカード２０の記憶情報を無線読取装置１０に読み取らせる前）に、あらかじめスライドスイッチ２１の配置を設定しておくことで、ＩＣカード２０の機能を切り替えることが可能となる。このため、ＲＦＩＤを利用したシステムの最大の特徴である読み取り操作の手軽さを損なうことなく、ＩＣカード２０の機能を外力により切り替えることが可能となる。
【００５２】
また、このＩＣカード２０は、２つのＩＣチップ３１，３２のそれぞれに対応して２つのアンテナ４１，４２を備えており、２つのＩＣチップ３１，３２を両方とも機能させる態様も可能としている。一方、無線読取装置１０は、２つのＩＣチップ３１，３２が両方とも機能している状態も判断可能である。このため、本通信システムによれば、２つのＩＣチップ３１，３２で３つのパターンの記憶情報を送信することができる。
【００５３】
［第２実施形態］
次に、第２実施形態の無線通信システムについて説明する。
第２実施形態の無線通信システムは、第１実施形態の無線通信システムと基本的な構成は同じであるが、ＩＣカード２０の構成が一部異なる。具体的には、図４に示すように、第２実施形態のＩＣカード２０は、第１実施形態のＩＣカード２０（図２）と対比すると、スライドスイッチ２１に替えて２つのボタン５１，５２を備えている点が異なる。
【００５４】
各ボタン５１，５２は、押圧力が加えられることにより弾性変形して凹み、押圧力が解放されると元の形状に戻るように構成されている。
そして、第１のボタン５１が押圧されている状態では、第１ＩＣチップ３１と第１アンテナ４１との間の電流経路が接続されて第１ＩＣチップ３１が機能する状態となり、押圧されていない状態では、第１ＩＣチップ３１と第１アンテナ４１との間の電流経路が遮断されて第１ＩＣチップ３１が機能しない状態となる。
【００５５】
また、第２のボタン５２が押圧されている状態では、第２ＩＣチップ３２と第２アンテナ４２との間の電流経路が接続されて第２ＩＣチップ３２が機能する状態となり、押圧されていない状態では、第２ＩＣチップ３２と第２アンテナ４２との間の電流経路が遮断されて第２ＩＣチップ３２が機能しない状態となる。
【００５６】
このような構成により、ＩＣカード２０が無線読取装置１０と通信可能な範囲に侵入すると、第１のボタン５１及び第２のボタン５２に押圧力が加わっているか否かに応じた情報がＩＣカード２０から無線読取装置１０へ送信される。
【００５７】
したがって、第２実施形態の無線通信システムによれば、使用者は、ＩＣカード２０の第１のボタン５１及び第２のボタン５２のうちの一方を押圧した状態でＩＣカード２０を使用することにより、２つのＩＣチップ３１，３２のうちの１つによる送信処理を禁止させて、無線読取装置１０へ送信される記憶情報の内容を変化させることができる。このため、無線読取装置１０は、ＩＣカード２０の存在を検出するだけでなく、そのＩＣカード２０におけるボタン５１，５２の押圧状態についても判断することができる。この結果、第１実施形態の通信システムと同様、ＩＣカード２０の機能を外力により切り替えることが可能となる。
【００５８】
［第３実施形態］
次に、第３実施形態の無線通信システムについて説明する。
第３実施形態の無線通信システムは、第１実施形態の無線通信システムと基本的な構成は同じであるが、ＩＣカード２０の構成が一部異なる。具体的には、図５に示すように、第３実施形態のＩＣカード２０は、第１実施形態のＩＣカード２０（図２）と対比すると、スライドスイッチ２１に替えて、使用者が指で矢印Ｘ１，Ｘ２方向へスライド操作可能な金属板６０（例えば鉄板や銅板）を備えている点が異なる。すなわち、第１実施形態及び第２実施形態のＩＣカード２０は、ＩＣチップ３１，３２とアンテナ４１，４２との間の電流経路を遮断することによりＩＣチップ３１，３２を機能させない構成であるのに対し、第３実施形態のＩＣカード２０は、アンテナ４１，４２を金属板６０で覆って磁界を遮ることにより、そのアンテナ４１，４２に対応するＩＣチップ３１，３２を機能させない構成となっている。
【００５９】
具体的には、金属板６０は、外力を加えられることにより一定範囲内でスライド移動し（矢印Ｘ１，Ｘ２に示す方向）、選択可能な３つの位置のうちのいずれか１つの位置に配置され、外力が解放されてもその位置に維持されるように構成されている。
【００６０】
そして、金属板６０が、第１アンテナ４１のみを覆う第１の位置（矢印Ｘ１側の位置）に配置されている状態では、第１ＩＣチップ３１が機能しなくなり、第２ＩＣチップ３２のみが機能する状態となる。
【００６１】
また、金属板６０が、第１アンテナ４１及び第２アンテナ４２を共に覆わない第２の位置（図２に示す位置）に配置されている状態では、第１ＩＣチップ３１及び第２ＩＣチップ３２が共に機能する状態となる。
【００６２】
さらに、金属板６０が、第２アンテナ４２のみを覆う第３の位置（矢印Ｘ２側の位置）に配置されている状態では、第２ＩＣチップ３２が機能しなくなり、第１ＩＣチップ３１のみが機能する状態となる。
【００６３】
このような構成により、ＩＣカード２０が無線読取装置１０と通信可能な範囲に侵入すると、金属板６０の配置に応じた情報がＩＣカード２０から無線読取装置１０へ送信される。
【００６４】
したがって、第３実施形態の無線通信システムによっても、第１実施形態の無線通信システムと同様の効果を得ることができる。特に、第３実施形態の無線通信システムでは、ＩＣカード２０に電流経路を遮断する構成を設ける必要がないため、電気抵抗の増大を防ぐことができる。
【００６５】
［第４実施形態］
次に、第４実施形態の無線通信システムについて説明する。
第４実施形態の無線通信システムは、第２実施形態の無線通信システムと基本的な構成は同じであるが、ＩＣカード２０の構成が一部異なる。具体的には、図６に示すように、第４実施形態のＩＣカード２０は、第２実施形態のＩＣカード２０（図４）と対比すると、アンテナ７０が１つである点が異なる。このような構成によれば、ＩＣカード２０の低コスト化及び小型化を図ることができる。
【００６６】
以上、本発明の一実施形態について説明したが、本発明は、種々の形態を採り得ることは言うまでもない。
例えば、機能させるＩＣチップ３１，３２の切替えを行う構成は、スライドスイッチ２１やボタン５１，５２に限ったものではなく、レバーを回転移動させたり、円形のつまみを一定位置で回転させたりすることにより行う構成とすることも可能である。
【００６７】
また、上記各実施形態では、無線通信媒体としてＩＣカード２０を例示したが、本発明はＩＣカード２０以外の無線通信媒体にも適用することができる。例えば、姿勢を変えることが可能な人形（フィギュアモデル）に本発明の無線通信媒体を適用することにより、人形の姿勢を判断することが可能となる。具体的には、例えば頭の向きに応じて複数のＩＣチップのうちの１又は複数のＩＣチップによる送信処理を禁止するようにすれば、頭の向きを検出することができる。同様にして、手足等の関節部分の状態を検出することで、人形の姿勢を判断することができる。
【図面の簡単な説明】
【００６８】
【図１】第１実施形態の無線通信システムの概略構成を表すブロック図である。
【図２】第１実施形態のＩＣカードの構成を説明するための説明図であり、（Ａ）は外観を表す模式図、（Ｂ）は内部構成を表す模式図である。
【図３】無線読取装置が実行するタイムレコーダ処理のフローチャートである。
【図４】第２実施形態のＩＣカードの構成を説明するための説明図であり、（Ａ）は外観を表す模式図、（Ｂ）は内部構成を表す模式図である。
【図５】第３実施形態のＩＣカードの構成を説明するための説明図であり、（Ａ）は外観を表す模式図、（Ｂ）は内部構成を表す模式図である。
【図６】第４実施形態のＩＣカードの構成を説明するための説明図であり、（Ａ）は外観を表す模式図、（Ｂ）は内部構成を表す模式図である。
【符号の説明】
【００６９】
１０…無線読取装置、１１…アンテナ、１２…制御部、１３…ＣＰＵ、１４…ＲＯＭ、１５…ＲＡＭ、２０…ＩＣカード、２１…スライドスイッチ、３１…第１ＩＣチップ、３２…第２ＩＣチップ、４１…第１アンテナ、４２…第２アンテナ、５１…第１のボタン、５２…第２のボタン、６０…金属板、７０…アンテナ
【図１】
2007257147.tif 000003
【図２】
2007257147.tif 000004
【図３】
2007257147.tif 000005
【図４】
2007257147.tif 000006
【図５】
2007257147.tif 000007
【図６】
2007257147.tif 000008